(57)【特許請求の範囲】
【請求項１】
前胴回り域と後胴回り域とこれら両域の間に介在する股下域とを有し、前記股下域は前記前胴回り域と前記後胴回り域とに向かって延びる長さ方向と前記長さ方向に直交する幅方向とを含み、前記股下域の前記幅方向の両側それぞれには前記長さ方向へ延びる防漏堤が形成されている使い捨てのおむつであって、
前記防漏堤は、前記股下域と一体になって前記長さ方向へ延びる遠位縁と、前記遠位縁に並行するとともに前記使い捨ておむつの着用者の肌に弾性的に接触可能な近位縁とを有していて、前記幅方向において折り畳まれた状態にあり、前記長さ方向における前記防漏堤の両端部では、折り畳まれた前記防漏堤どうしが剥離可能に接合しており、
前記防漏堤はまた、前記両端部で接合している前記防漏堤どうしを剥離して前記近位縁を前記幅方向の内側に向けて伸展すると、前記両側それぞれに形成された前記防漏堤が互いに部分的に重なり合うことを特徴とする前記使い捨てのおむつ。
【請求項２】
前記おむつが前記前胴回り域を形成する前パネルと、前記後胴回り域を形成する後パネルと、前記股下域を形成する中央パネルとを有し、これらパネルのそれぞれが前記着用者の肌と向かい合う内面と着衣と向かい合う外面とを含み、前記中央パネルの前記長さ方向における両端部のうちの一端部は前記外面が前記前パネルの前記内面に接合し、前記両端部のうちの他端部は前記外面が前記後パネルにおける前記内面に接合しており、前記中央パネルには前記幅方向の両側それぞれに前記防漏堤が形成されていて、前記防漏堤の前記両端部のそれぞれでは折り畳まれた前記防漏堤どうしが剥離可能に接合している請求項１記載の使い捨てのおむつ。
【請求項３】
前記防漏堤には、前記防漏堤を前記幅方向の内側に向けて伸展したときに部分的に重なり合う前記防漏堤どうしの重なり合う状態を維持することを可能にする接合手段が形成されている請求項１または２記載の使い捨てのおむつ。
【請求項４】
前記中央パネルが、前記前パネルと前記後パネルとから剥離可能に形成されている請求項２または３記載の使い捨てのおむつ。
【請求項５】
前記使い捨てのおむつがパンツ型のものであって、前記前パネルと前記後パネルとが互いの側縁部において剥離可能に接合している請求項２〜４のいずれかに記載の使い捨てのおむつ。
【発明の詳細な説明】
【技術分野】
【０００１】
この発明は、使い捨てのおむつに関する。
【背景技術】
【０００２】
使用後のおむつを衛生上または外観上の観点から好ましい形で廃棄できるように改良を施した使い捨ておむつは、従来公知ないし周知である。例えば、実開昭５８−２２９０８号公報（特許文献１）に開示された使い捨ておむつ１は、裏面シートに接着テープ片が取り付けられている。そのおむつの一例において、接着テープ片はその一端部が腰回りの中央部に固定され、自由端部が腰回り部から外方向へ延出している。使用後に折り畳んだおむつは、それが開くことがないように接着テープ片で止めておくことができる。
【０００３】
また、特開２００２−１１０４１号公報（特許文献２）に開示された使い捨てパンツ型おむつは、弾性部材の収縮によってはギャザーの生じることのない股下域に粘着性テープ片が取り付けられている。使用後に上下方向へ二つに折り重ねたおむつは、それが開くことのないように粘着性テープ片によって止めておくことができる。
【０００４】
特開平２−４３７２号公報（特許文献３）に開示されたファスナーシステムは、使い捨ておむつ等の吸収性製品に使用される。例えば、開放型のおむつでは、ファスナーシステムの一例である接着剤テープタブが後胴回り域の両側部に取り付けられている。使用後に丸めたり、折り畳んだおむつは、それが開くことのないように接着剤テープタブを使用して止めておくことができる。
【先行技術文献】
【特許文献】
【０００５】
【特許文献１】実開昭５８−２２９０８号公報
【特許文献２】特開２００２−１１０４１号公報
【特許文献３】特開平２−４３７２号公報
【発明の概要】
【発明が解決しようとする課題】
【０００６】
使用後の汚れたおむつを丸めたり折り畳んだりしてから、おむつをそれが開くことがないように粘着性テープ片等のテープ片で止めておくことは、おむつが乳幼児用の小型のものであって、それを衛生上好ましい形で廃棄しようとする場合において特に効果的である。しかし、おむつによっては、テープ片を使用するだけでは汚れたおむつを衛生上好ましい形に丸めておくことが難しい、という場合がある。
【０００７】
この発明によれば、汚れたおむつを衛生上好ましい形に丸めたり畳んだりして廃棄することを可能にする使い捨てのおむつを提供することができる。
【課題を解決するための手段】
【０００８】
前記課題を解決するために、対象となるのは、前胴回り域と後胴回り域とこれら両域の間に介在する股下域とを有し、前記股下域は前記前胴回り域と前記後胴回り域とに向かって延びる長さ方向と前記長さ方向に直交する幅方向とを含み、前記股下域の前記幅方向の両側それぞれには前記長さ方向へ延びる防漏堤が形成されている使い捨てのおむつである。
【０００９】
かかる使い捨てのおむつにおいて、この発明が特徴とするところは以下のとおりである。すなわち、前記防漏堤は、前記股下域と一体になって前記長さ方向へ延びる遠位縁と、前記遠位縁に並行するとともに前記使い捨てのおむつの着用者の肌に弾性的に接触可能な近位縁とを有していて、前記幅方向において折り畳まれた状態にあり、前記長さ方向における前記防漏堤の両端部では、折り畳まれた前記防漏堤どうしが剥離可能に接合している。前記防漏堤はまた、前記両端部で接合している前記防漏堤どうしを剥離して前記近位縁を前記幅方向の内側に向けて伸展すると、前記両側それぞれに形成された前記防漏堤が互いに部分的に重なり合う。
【００１０】
この発明の実施形態の一つにおいて、前記おむつが前記前胴回り域を形成する前パネルと、前記後胴回り域を形成する後パネルと、前記股下域を形成する中央パネルとを有し、これらパネルのそれぞれが前記着用者の肌と向かい合う内面と着衣と向かい合う外面とを含む。前記中央パネルの前記長さ方向における両端部のうちの一端部は前記外面が前記前パネルの前記内面に接合し、前記両端部のうちの他端部は前記外面が前記後パネルにおける前記内面に接合している。前記中央パネルには前記幅方向の両側それぞれに前記防漏堤が形成されていて、前記防漏堤の前記両端部のそれぞれでは折り畳まれた前記防漏堤どうしが剥離可能に接合している。
【００１１】
この発明の実施形態の他の一つにおいて、前記防漏堤には、前記防漏堤を前記幅方向の内側に向けて伸展したときに部分的に重なり合う前記防漏堤どうしの重なり合う状態を維持することを可能にする接合手段が形成されている。
【００１２】
この発明の実施形態の他の一つにおいて、前記中央パネルは、前記前パネルと前記後パネルとから剥離可能に形成されている。
【００１３】
この発明の実施形態の他の一つにおいて、前記使い捨てのおむつがパンツ型のものであって、前記前パネルと前記後パネルとが互いの側縁部において剥離可能に接合している。
【発明の効果】
【００１４】
この発明の実施形態である使い捨てのおむつにおいては、防漏堤の両端部それぞれが折り畳まれた状態にある。両端部それぞれでは、折り畳まれて重なり合う防漏堤どうしが剥離可能に接合している。接合している防漏堤の端部を剥離し、防漏堤の近位縁がおむつの幅方向の内側に向くように防漏堤を伸展させると、股下域の両側それぞれに形成されていた防漏堤が互いに部分的に重なり合い、排泄物で汚れている股下域の内面を被覆することができる。このように防漏堤を伸展させてから、おむつを丸めたり畳んだりすれば、おむつを廃棄するときに、排泄物で汚れている股下域の内面が露出することを防ぐことができる。
【図面の簡単な説明】
【００１５】
【図１】使い捨てのおむつの部分破断平面図。
【図２】図１のＩＩ−ＩＩ線切断面を示す図。
【図３】図１のＩＩＩ−ＩＩＩ線切断面を示す図。
【図４】股下域の内面の一部を防漏堤で被覆している状態を示す図。
【図５】実施形態の一例を示す図２と同様な図。
【図６】防漏堤に形成された接合手段の使用状態を示す図。
【図７】パンツ型の使い捨てのおむつの斜視図。
【図８】図７のおむつから得られる展開おむつの部分破断平面図。
【図９】図８のＩＸ−ＩＸ線切断面を示す図。
【図１０】図８のＸ−Ｘ線切断面を示す図。
【図１１】股下域の内面を防漏堤で被覆している状態を示す図。
【発明を実施するための形態】
【００１６】
添付の図面を参照して、この発明の実施形態を説明すると、以下のとおりである。
【００１７】
図１は、実施形態の一例である開放型の使い捨てのおむつ１の部分破断平面図である。おむつ１は、肌被覆部２と、排泄物処理部４とを有し、これら肌被覆部２と処理部４との長さ方向と幅方向とが双頭矢印Ｘ，Ｙで示されている。
【００１８】
おむつ１の肌被覆部２では、内面シート２１と外面シート２２とがホットメルト接着剤２３を介して接合して、前胴回り域６と、後胴回り域７と、これら両域６，７の間に位置する股下域８とを形成している。内面シート２１は、前後胴回り域６，７と股下域８の両側部分８ａとにおいて、おむつ着用者（図示せず）の肌と向かい合うおむつ１の内面の一部を形成し、外面シート２２は、おむつ着用者の着衣と向かい合うおむつ１の外面を形成している。前胴回り域６では、幅方向Ｘへ延びる胴回り弾性部材２４と補助弾性部材２６とが内面シート２１と外面シート２２との間にあって、両シート２１，２２の少なくとも一方にホットメルト接着剤（図示せず）を介して伸長状態で接合している。後胴回り域７では、幅方向Ｘへ延びる胴回り弾性部材２７と補助弾性部材２８とが内面シート２１と外面シート２２との間にあって、これら両シート２１，２２の少なくとも一方にホットメルト接着剤（図示せず）を介して伸長状態で接合している。後胴回り域７の側縁部７ａのそれぞれからは、ファスナ用テープ７ｂが延出している。テープ７ｂの内面にはメカニカルファスナ７ｃが取り付けられていて、テープ７ｂを前胴回り域６におけるランディングゾーン（図示せず）に着脱することができる。股下域８の両側部分８ａでは、脚回り弾性部材２９が弧を画いて延びていて、内面シート２１と外面シート２２との少なくとも一方にホットメルト接着剤（図示せず）を介して伸長状態で接合している。内面シート２１と外面シート２２とには、熱可塑性合成繊維で形成された不織布やプラスチックフィルムを使用することができる。図示例の肌被覆部２は、幅方向Ｘの寸法を二等分する中心線Ｃ−Ｃに関して対称に形成されている。
【００１９】
処理部４は、ホットメルト接着剤４１（図３，４参照）を介して内面シート２１に取り付けられていて、股下域８の幅方向Ｘにおける中央部を形成しており、中心線Ｃ−Ｃに平行な両側縁４２と、両側縁４２に交差して幅方向Ｘへ延びる前端縁４３ａと後端縁４３ｂとを有し、おむつ１の内面の一部を形成している。幅方向Ｘにおいて両側縁４２それぞれの内側には両端縁４３ａと４３ｂとの間に延びる防漏堤６０が形成されている。その防漏堤６０は、防漏堤６０Ｌと防漏堤６０Ｒとを含んでいる。防漏堤６０は、両側縁４２のそれぞれに一致して長さ方向Ｙへ延びる遠位縁６１と、前端縁４３ａを含む前端部６０ａと、後端縁４３ｂを含む後端部６０ｂと、これら両端部６０ａ，６０ｂの間に位置する中間部６０ｃとを有する。防漏堤６０はまた、遠位縁６１に並行して長さ方向Ｙへ延びる近位縁６２を有する。近位縁６２にはスリーブ６３が形成されていて、スリーブ６３の内側には長さ方向Ｙへ延びる弾性部材６４がホットメルト接着剤（図示せず）を介して伸長状態で取り付けられていることにより、近位縁６２はおむつ着用者（図示せず）の肌に弾性的に接触可能である。処理部４には、後記する芯材４５の輪郭が鎖線で示されている。図示例の処理部４は、中心線Ｃ−Ｃに関して対称に形成されている。
【００２０】
図２は、図１のＩＩ−ＩＩ線切断面によって処理部４と防漏堤６０の中間部６０ｃとの構造を示している。処理部４は、吸水性の芯材４５と、芯材４５の内面を被覆する透液性の内面シート４６と、芯材４５の外面を被覆する不透水性または撥水性の外面シート４７と、外面シート４７と芯材４５との間に介在する不透液性のプラスチックフィルム４８とを含んでいる。内面シート４６は、おむつ１を着用するときに、おむつ着用者の肌と向かい合うものであって、股下域８の内面の一部を形成している。外面シート４７は、芯材４５の側縁４５ａから幅方向Ｘへ延出する部分が処理部４の側縁４２において折曲されることにより防漏堤６０Ｌを形成している。
【００２１】
芯材４５は、粉砕パルプ、粉砕パルプと高吸水性ポリマー粒子との混合物等の吸水性材料の集合体、またはその集合体をティッシュペーパ等の透水性シートで被覆したものによって形成されている。
【００２２】
内面シート４６は、芯材４５の周縁から延出する大きさを有していて、幅方向Ｘにおいては、図示されているように、芯材４５に沿って折り曲げられて芯材４５の外面の一部分を覆っている。長さ方向Ｙにおいて、内面シート４６は、芯材４５から延出しており（図１参照）、内面シート４６と同じように芯材４５から延出している外面シート４７に重なってホットメルト接着剤４７ａを介して互いに接合している。内面シート４６と芯材４５とは、ホットメルト接着剤を介して接合している場合と、接合していない場合とがあり、図では後者の場合が示されている。
【００２３】
プラスチックフィルム４８は、幅方向Ｘと長さ方向Ｙとの寸法が芯材４５の寸法とほぼ同じであり、芯材４５に対してホットメルト接着剤を介して接合している場合と、接合していない場合とがある。図ではプラスチックフィルム４８がホットメルト接着剤４８ａを介して芯材４５と内面シート４６とに接合している。
【００２４】
外面シート４７は、芯材４５の周縁から延出する大きさを有している。幅方向Ｘにおいて、外面シート４７が芯材４５から延出する部分は、防漏堤６０を形成しており、長さ方向Ｙにおいて、外面シート４７が芯材４５から延出する部分（図示せず）はホットメルト接着剤４７ａを介して内面シート４６に接合している。外面シート４７はまた、ホットメルト接着剤４１を介して肌被覆部２の内面シート２１に接合している。その内面シート２１は、ホットメルト接着剤２３を介して外面シート２２に接合している。
【００２５】
防漏堤６０のうちの防漏堤６０Ｌは、処理部４における両側縁４２の一方で外面シート４７が逆Ｚ字形に折り畳まれることにより形成されている。防漏堤６０Ｒは、両側縁４２のもう一方（図１参照）で外面シート４７がＺ字形（図示せず）に折り畳まれることにより形成されている。折り畳まれた状態の防漏堤６０Ｌは、側縁４２において折り返されて遠位縁６１を画成している部分６７と、幅方向Ｘの外側に向かって折り返されて部分６７に重なっている部分６８とを含んでいる。このような防漏堤６０Ｌを有する図１のおむつ１では、それを着用するときに股下域８を長さ方向Ｙにおいて湾曲させると、防漏堤６０Ｌにおける弾性部材６４が収縮し、重なり合っていた部分６７と部分６８とが伸展し、防漏堤６０Ｌの近位縁６２がおむつ着用者の肌に弾性的に接触するように、防漏堤６０Ｌが図２の仮想線のごとくおむつ１の内面から起立する。
【００２６】
図３は、図１のＩＩＩ−ＩＩＩ線切断面によって防漏堤６０Ｌの後端部６０ｂの構造を示している。そのＩＩＩ−ＩＩＩ線は、処理部４の後端縁４３ｂの近傍において幅方向Ｘへ延びている。処理部４における芯材４５と、内面シート４６と、外面シート４７と、プラスチックフィルム４８とが重なり合う状態は、図２においてこれらが重なり合う状態と同じである。肌被覆部２における内面シート２１と外面シート２２が重なり合う状態もまた図２においてこれらが重なり合う状態と同じ状態である。防漏堤６０Ｌは、図２におけるそれと同様に逆Ｚ字形に折り畳まれているが、防漏堤６０Ｌが幅方向Ｘの内側に向かって折り返されている部分６７は、処理部４における内面シート４６と外面シート４７とに対して、ホットメルト接着剤６６を介して剥離不能に接合している。防漏堤６０Ｌが幅方向Ｘの外側に向かって折り返されている部分６８は、それと向かい合う防漏堤６０Ｌの部分６７に対してホットメルト接着剤６９を介し剥離可能に接合している。ただし、部分６８における縁部６６ｂは、長さ方向Ｙにおいて近位縁６２の延長上にあり、縁部６６ｂと向かい合う部分６７に対しては非接合状態にある。
【００２７】
ここで、おむつ１について剥離可能であるというときの剥離とは、おむつ１を通常の着用方法に従って扱う限り、互いに接合している部分に剥離を生じることはないが、おむつ１の所要部分に対して故意に力を加えると、互いに接合している部分に剥離が生じ、その結果としておむつ１においての所要の目的を達成することができるという場合の剥離を意味している。また、おむつ１について剥離不能であるというときには、おむつ１を通常の方法に従って扱う限り、互いに接合している部分に剥離を生じることがないことを意味していることに加えて、おむつ１においての所要の目的を達成するために所要の部位に故意に力を加えても、その力によっては剥離が生じないことを意味している。また、おむつ１において剥離というときには、互いに接合している部分が、その部分において剥がれて別々になるということを意味する他に、互いに接合している部分の近傍において少なくとも一方の部分が破れることによって互いに接合している部分が実質的な意味において剥離して別々になることをも意味している。おむつ１において、互いに接合している部分を剥離可能な状態にしたり、剥離不能な状態にしたりすることは、ホットメルト接着剤の種類の選択やホットメルト接着剤の単位面積当たりの塗布量の調整、ホットメルト接着剤の塗布面積の調整によって可能になる。
【００２８】
防漏堤６０Ｌがこのように形成されているおむつ１では、一方の手で肌被覆部２または処理部４をつかみ、もう一方の手では防漏堤６０Ｌにおける後端部６０ｂの縁部６６ｂを摘むか、または図２に示された近位縁６２の近傍を摘んで図３に矢印Ｆで示される図の上方へ引き上げるようにすると、防漏堤６０における部分６８を部分６７から剥離させることができる。部分６８は、剥離後にそれを内面シート４６に重ねると縁部６６ｂが中心線Ｃ−Ｃを越えることができるように、幅方向Ｘの寸法Ｍが調整されている（図３参照）。このようにして防漏堤６０Ｌにおける後端部６０ｂの部分６８を内面シート４６に重ねるときには、防漏堤６０Ｌの中間部６０ｃ（図１参照）における部分６８もまた、図２に仮想線で示されているように、内面シート４６に重ねることができ、近位縁６２が中心線Ｃ−Ｃを越える。
【００２９】
防漏堤６０Ｌの前端部６０ａの断面構造は、図３における後端部６０ｂの断面構造と実質的に同じであるから、その構造の図示は省略されている。その前端部６０ａにおいても、防漏堤６０Ｌは逆Ｚ字形に折り畳まれていて、部分６７がホットメルト接着剤６６（図３参照）を介して内面シート４６に剥離不能に接合し、部分６８がホットメルト接着剤６９を介して部分６７に剥離可能に接合している。ただし、部分６８における縁部６６ａ（図１参照）は部分６７に対して非接合状態にある。それゆえ、前端部６０ａでは、後端部６０ｂの場合と同様に、縁部６６ａを摘むか、または防漏堤６０の中間部６０ｃにおける近位縁６２の近傍を摘んで引っ張ることによって、部分６８を部分６７から剥離することができる。剥離後の部分６８は、それを内面シート４６に重ねると中心線Ｃ−Ｃに重なって、縁部６６ａが中心線Ｃ−Ｃを越える。
【００３０】
図４は、使用後のおむつ１を廃棄するときの態様の一例を示す図１と同様な図である。図１のおむつ１において、処理部４は中心線Ｃ−Ｃに関して対称に形成されている。それゆえ、図２，３の防漏堤６０Ｌと対称な関係にあるもう一方の防漏堤６０Ｒについても、前端部６０ａにおいて重なり合う部分６７と部分６８とを剥離し、後端部６０ｂにおいても重なり合う部分６７と部分６８とを剥離して、防漏堤６０Ｒの部分６８の全体を処理部４の内面シート４６に重ねることができる。その重ねた状態の防漏堤６０Ｒは、図２，３に仮想線で示されているとおりであって、防漏堤６０Ｒは中心線Ｃ−Ｃに重なり、近位縁６２と縁部６６ｂとが中心線Ｃ−Ｃを越えている。図４では、そのようにして部分６８が内面シート４６に重ねてある防漏堤６０Ｌと６０Ｒとが示されている。すなわち、両防漏堤６０Ｌと６０Ｒとは中心線Ｃ−Ｃ近傍で互いに部分的に重なり合い、おむつ１の内面のうちで防漏堤６０Ｌと６０Ｒとの間にある部分、すなわち内面シート２４がそれら防漏堤６０Ｌと６０Ｒとによって被覆されている。
【００３１】
おむつ１が使用後のものであれば、処理部４の内面シート４６を図４に例示のごとく幅方向Ｘへ伸展させた防漏堤６０Ｌと６０Ｒとによって被覆すれば、おむつ１が乳幼児用のものであっても大人用のものであっても、内面シート４６の汚れや、内面シート４６の上にある排泄物が隠れた状態になる。その後に、おむつ１はその全体を丸めたり、畳んだりすることができ、さらにはファスナー用テープ７ｂを使用して丸めたり、畳んだりした状態を保つこともできる。
【００３２】
このようなおむつ１の処理部４において、内面シート４６は、熱可塑性合成繊維で形成された透水性の不織布や透水性の開孔プラスチックフィルム等の透水性シート材料によって形成される。外面シート４７は、熱可塑性合成繊維で形成された不織布、より好ましくは不透水性または撥水性の不織布や不透水性のプラスチックフィルムによって形成される。外面シート４７が不透水性のものである場合には、プラスチックフィルム４８を省くことが可能である。また、処理部４は、中心線Ｃ−Ｃに関して対称に形成されていることが好ましいものではあるが、中心線Ｃ−Ｃに関して非対称な形状のものにすることも可能である。例えば、防漏堤６０Ｌにおける部分６８の幅方向Ｘの寸法と、防漏堤６０Ｒにおける部分６８の幅方向Ｘの寸法とが異なる態様の処理部４を使用することも可能である。ただし、その処理部４においても防漏堤６０Ｌの部分６８と防漏堤６０Ｒの部分６８とを内面シート４６に重ねると、部分６８と６８とが互いに重なり合って内面シート４６の全体を被覆することができるように、それぞれの部分６８の寸法を調整しておくことが必要である。
【００３３】
図１のおむつ１において、ホットメルト接着剤４１を介して互いに接合している肌被覆部２と処理部４とは、それぞれの内面シート２１と４６とがおむつ１における股下域６の内面を形成しているものであるが、これら両部２，４は剥離可能な状態で接合しておくことができる。その状態は、ホットメルト接着剤４１の単位面積当たりの塗布量を調整したり、ホットメルト接着剤４１の塗布域を調整したりすることによって得ることができる。そのようなおむつ１では、使用後に排泄物で汚れている処理部４を肌被覆部２から剥離して処理部４と肌被覆部２とを分別処理することができる。そのときの処理部４の内面シート４６を図４に例示の如く防漏堤６０Ｌと６０Ｒとによって被覆しておくことは、衛生上の観点から好ましいことである。
【００３４】
図５，６は、実施形態の一例を示す図２，４と同様な図である。図５において、おむつ１の防漏堤６０Ｌには逆Ｚ字形に折り畳まれているうちの部分６８に粘着性テープ片８０が取り付けられている。テープ片８０は、Ｚ字形に折り畳まれていて、部分６８と向かい合う第１層８１と、第１層８１に重なる第２層８２と、第２層８２に重なる第３層８３とを有する。第１層８１は、第１接着剤９１を介して部分６８に剥離不能に接合している。第２層８２は第１粘着剤９２を介して第１層８１に剥離可能に接合している。第３層８３は第２粘着剤９３を介して第２層８２に剥離可能に接合している。かようなテープ片８０は、第３層８３における先端部分８４を摘持して矢印Ｇで示される図５の斜め上方へ引っ張ると、第２層８２が第１層８１から剥離し、第３層８３が第２層８２から剥離して、第１層８１が部分６８に残った状態になるとともに、第１層８１、第２層８２、第３層８３が直状に延びた図６の状態のものとなる。
【００３５】
図６は、処理部４の内面シート４６を被覆している防漏堤６０Ｌと６０Ｒとが直状に延びたテープ片８０によってシールされている状態を示している。中心線Ｃ−Ｃの近傍では防漏堤６０Ｒが下となり、防漏堤６０Ｌが上となるように防漏堤６０Ｌと６０Ｒとが重なっている。防漏堤６０Ｌに取り付けられているテープ片８０は、それを直状に伸展させると、第３層８３が防漏堤６０Ｌの近位縁６２を越えて防漏堤６０Ｒに届くように形成されており、その第３層８３が防漏堤６０Ｒと向かい合う面には第２粘着剤９３が塗布されているから、その第２粘着剤９３を使用してテープ片８０の第３層８３を防漏堤６０Ｒに対して固定することができる。このようにすれば、防漏堤６０Ｌと６０Ｒとの重なり合う状態をテープ片８０によって維持することができ、おむつ１を廃棄するときに処理部４の内面シート４６が露出することを確実に防ぐことができる。防漏堤６０Ｌと防漏堤６０Ｒとが重なり合う状態を維持するための防漏堤６０Ｌと防漏堤６０Ｒとに対する接合手段は、図示例のテープ片８０に限られるわけではない。たとえば、防漏堤６０Ｒに重なる防漏堤６０Ｌの内面に粘着剤を塗布して、その粘着剤を防漏堤６０Ｒに対する接合手段にすることもできる。
【００３６】
これまでの実施形態において、防漏堤６０は、Ｚ字形または逆Ｚ字形となるように折り畳まれている三層構造のものであったが、二層構造や四層構造等の三層構造以外の構造のものに代えることもできる。また、防漏堤６０は、処理部４における外面シート４７を折り畳むことによって形成されていたが、外面シート４７とは別体のシートを肌被覆部２の内面シート２１や処理部４の内面シート４６に接合しておき、その別体のシートを折り畳むことによって形成されていてもよいものである。外面シート４７とは別体のシートによって形成される防漏堤６０では、外面シート４７とは異なる肌触りや通気性、不透水性を持つことができる。
【００３７】
図７は、実施形態の一例であるパンツ型の使い捨てのおむつ１０１の斜視図である。おむつ１０１は、前胴回り域６を形成する前パネル１０６と、後胴回り域７を形成する後パネル１０７と、股下域８を形成する中央パネル１０８とを含んでいる。前パネル１０６と後パネル１０７とは、互いの側縁部１０６ａと１０７ａとが合掌状に重なり合い、間欠的に形成された複数の接合域１０９において剥離可能に接合して環状の胴回り域１１１と、胴回り開口１１２とを形成している。中央パネル１０８は、その前端部１０８ａの外面が前パネル１０６の内面に剥離可能または剥離不能な状態で接合している。中央パネル１０８の後端部１０８ｂ（図８参照）の外面は、後パネル１０７の内面に剥離可能または剥離不能な状態で接合している。これら中央パネル１０８と前後パネル１０６，１０７とによって、一対の脚回り開口１１３が形成されている。なお、図７には、おむつ１０１の幅方向と、長さ方向と、上下方向とが双頭矢印Ｘ，Ｙ，Ｚで示されている。
【００３８】
図８は、図７のおむつ１０１において前パネル１０６と後パネル１０７との接合域１０９における接合を解いて、前パネル１０６と後パネル１０７と中央パネル１０８とを平面状に展開して得られる展開おむつ１０１ａの部分破断平面図である。展開おむつ１０１ａについての幅方向と長さ方向とは、おむつ１０１についての幅方向Ｘと長さ方向Ｙとに同じである。
【００３９】
展開おむつ１０１ａにおける前パネル１０６は、ホットメルト接着剤１２３ａを介して互いに剥離不能に接合している内面シート１２１ａと外面シート１２２ａとを含んでいる。内面シート１２１ａと外面シート１２２ａとの間には、幅方向Ｘへ互いに平行して延びる複数条の胴回り弾性部材１２４ａと複数条の補助弾性部材１２６ａとがあって、これら弾性部材１２４ａ，１２６ａが内面シート１２１ａと外面シート１２２ａとのうちの少なくとも一方にホットメルト接着剤（図示せず）を介して伸長状態で接合している。後パネル１０７は、ホットメルト接着剤１２３ｂを介して互いに剥離不能に接合している内面シート１２１ｂと外面シート１２２ｂとを含む。内面シート１２１ｂと外面シート１２２ｂとの間には幅方向Ｘへ互いに平行して延びる複数条の胴回り弾性部材１２４ｂと複数条の補助弾性部材１２６ｂとがあって、これら弾性部材１２４ｂ，１２６ｂが内面シート１２１ｂと外面シート１２２ｂとのうちの少なくとも一方にホットメルト接着剤（図示せず）を介して伸長状態で接合している。前パネル１０６と後パネル１０７とにおいて、内面シート１２１ａ，１２１ｂと外面シート１２２ａ，１２２ｂには熱可塑性合成繊維で形成された不織布やプラスチックフィルム、不織布とプラスチックフィルムとの積層体等が使用される。
【００４０】
展開おむつ１０１ａにおける中央パネル１０８には、図２に例示の排泄物処理部４と同じものが使用されている。すなわち、中央パネル１０８は、図１，２，３に示された処理部４においての芯材４５、内面シート４６、外面シート４７、プラスチックフィルム４８を含み、内面シート４６がおむつ１０１および展開おむつ１０１ａにおける股下域８の内面を形成している中央パネルの両側には防漏堤６０Ｌ，６０Ｒが形成されている。防漏堤６０Ｌ，６０Ｒは、外面シート４７が芯材４５から延出する部分を逆Ｚ字形またはＺ字形に折り畳むことによって形成されている。防漏堤６０Ｌ，６０Ｒのそれぞれには、図３の態様にある中間部６０ｃと、図４の態様にある前後端部６０ａ，６０ｂとが含まれている。前後端部６０ａ，６０ｂにおける防漏堤６０Ｌ，６０Ｒの部分６８は、それが重なる部分６７に対して剥離可能に接合している。図７のおむつ１０１における防漏堤６０Ｌ，６０Ｒは、近位縁６２における弾性部材６４（図８参照）が収縮することにより、おむつ着用者の肌に向かって内面シートから離間して起立した状態になる。図７には、そのような防漏堤６０Ｌ，６０Ｒのうちの一方のみが示されている。
【００４１】
図９は、図８のＩＸ−ＩＸ線切断面によって、中央パネル１０８の断面構造を示す図である。中央パネル１０８には、図２に例示の排泄物処理部４とほぼ同じ構造のものが使用されている。ただし、中央パネル１０８は、処理部４と異なり、芯材４５から延出している外面シート４７が内面シート４６に沿って折り返されることによって部分６７と部分６８とが重なり合う防漏堤６０Ｌを形成している。防漏堤６０Ｌの遠位縁６１は，ホットメルト接着剤４７ａを介して内面シート４６と一体になっている。防漏堤６０Ｌの部分６８は、仮想線のごとく内面シート４６に重ねると中心線Ｃ−Ｃに重なり、近位縁６２が中心線Ｃ−Ｃを越える。
【００４２】
図１０は、図８のＸ−Ｘ線切断面を示す図である。図１０における中央パネル１０８の断面構造は、図３における処理部４の断面構造にほぼ同じである。ただし、中央パネル１０８では、外面シート４７が内面シート４６に沿って折り返されていて、防漏堤６０Ｌの後端部６０ｂを形成しているが、後端部６０ｂにおける部分６７が内面シート４６の上面に対してホットメルト接着剤６６を介して剥離不能に接合している。後端部６０ｂにおける部分６８は、ホットメルト接着剤６９を介して部分６７に対して剥離可能に接合している。この部分６８は、たとえば、縁部６６ｂを摘んで矢印Ｆで示す方向へ引張ることによって、部分６８を部分６７から剥離して、内面シート４６に重ねることができる。図示してはいないが、防漏堤６０Ｌの前端部６０ａ（図８参照）においても、部分６８を部分６７から剥離して、内面シート４６に重ねることができる。
【００４３】
図１１は、図８の展開おむつ１０１ａにおいて、防漏堤６０Ｌ，６０Ｒそれぞれにおける部分６８を部分７６から剥離した後は、処理部４における内面シート４６に重ねた状態を示す図４と同様な図である。図７のおむつ１０１は、前パネル１０６を後パネル１０７から剥離して図８の形状の展開おむつ１０１ａとすることによって、体液処理部である中央パネル１０８の内面シート４６を防漏堤６０Ｌと６０Ｒとによって被覆することができる。
【００４４】
この発明の実施形態の一つとして、図８における展開おむつ１０１ａの後パネル１０７に対して図１に例示のファスナー用テープ７ｂ、またはそれに代わる適宜のファスナー用テープを取り付けると、その展開おむつ１０１ａはこの発明における開放型の使い捨てのおむつとして使用することができる。
【００４５】
この発明において、使い捨てのおむつとしての使用を妨げない限り、実施形態の一つで採用されている態様を、その他の実施形態に適用することが可能である。たとえば、図４に例示の粘着性テープ８０は、実施形態におけるいずれのおむつに対しても適用することが可能である。
【符号の説明】
【００４６】
１    使い捨てのおむつ
６    前胴回り域
７    後胴回り域
８    股下域
６０，６０Ｌ，６０Ｒ    防漏堤
６０ａ、６０ｂ    端部
６１    遠位縁
６２    近位縁
８０    接合手段
１０１    パンツ型の使い捨てのおむつ
１０６    前パネル
１０６ａ    側縁部
１０７    後パネル
１０７ａ    側縁部
１０８    中央パネル
１０８ａ、１０８ｂ    端部
１１１    胴回り域
Ｘ    幅方向
Ｙ    長さ方向
【図１】
0005385201.tif 000002
【図２】
0005385201.tif 000003
【図３】
0005385201.tif 000004
【図４】
0005385201.tif 000005
【図５】
0005385201.tif 000006
【図６】
0005385201.tif 000007
【図７】
0005385201.tif 000008
【図８】
0005385201.tif 000009
【図９】
0005385201.tif 000010
【図１０】
0005385201.tif 000011
【図１１】
0005385201.tif 000012